(57)【要約】【課題】  注文状況表示画面上で注文状況を確認しながら株式の注文を迅速に行うことを可能とする株式注文システムを提供すること。【解決手段】  証券会社が管理するサーバが、証券取引所から銘柄別の株式売買注文状況情報を受信し、該注文状況情報中の売買注文識別情報を顧客別の顧客識別情報に変換し、前記顧客端末に送信する手段と、前記顧客端末から銘柄別の売買注文を受信し、前記証券取引所に送信する手段とを備え、株式の売買注文主が使用する顧客端末が、前記顧客識別番号が付された株式売買注文状況情報を受信し、自端末の同一表示画面内の銘柄別のウインドウに、当該顧客端末を使用する顧客自身および他の顧客端末を使用する他の顧客の売買注文状況を売買価格別に表示する手段と、売買注文状況が表示された前記銘柄別のウインドウ内での入力操作に従い、売買銘柄、売買株数、売買価格の情報を含む売買注文の情報を前記サーバに送信する手段とを備える。【選択図】      図１
2005100265.tif 000002
【特許請求の範囲】
【請求項１】
証券会社が管理するサーバと、株式の売買注文主が使用する顧客端末とで構成される株式注文システムであって、
前記サーバが、
証券取引所から銘柄別の株式売買注文状況情報を受信し、該注文状況情報中の売買注文識別情報を顧客別の顧客識別情報に変換し、前記顧客端末に送信する手段と、前記顧客端末から銘柄別の売買注文を受信し、前記証券取引所に送信する手段とを備え、
前記顧客端末が、前記顧客識別番号が付された株式売買注文状況情報を受信し、自端末の同一表示画面内の銘柄別のウインドウに、当該顧客端末を使用する顧客自身および他の顧客端末を使用する他の顧客の売買注文状況を売買価格別に表示する手段と、売買注文状況が表示された前記銘柄別のウインドウ内での入力操作に従い、売買銘柄、売買株数、売買価格の情報を含む売買注文の情報を前記サーバに送信する手段とを備えることを特徴とする株式売買システム。
【請求項２】
前記顧客端末の売買注文状況を売買価格別に表示する手段は、前記銘柄別のウインドウに、最新の売買成立株価を現在株価として表示することを特徴とする請求項１に記載の株式注文システム。
【請求項３】
前記顧客端末の売買注文状況を売買価格別に表示する手段は、現在株価と顧客の注文価格が銘柄別に予め設定された乖離価格を超える場合は、該乖離価格を超えた銘柄のウインドウを最前面に表示することを特徴とする請求項２に記載の株式注文システム。
【発明の詳細な説明】
【技術分野】
【０００１】
本発明は、株式注文システムに関わり、特に、注文状況を表示する画面上から株式を注文するシステムに関する。
【背景技術】
【０００２】
従来、株式注文システムの注文画面表示方法では、注文状況表示画面を参照することで売買対象銘柄の現在の注文状況を確認し、注文状況表示画面とは別の注文画面を表示させ、注文画面上で、注文する株式の銘柄名または銘柄コードと注文株式数と注文価格を入力し、注文を行った後、再度注文状況表示画面を表示し、現在の注文状況を確認している。
このようなシステムとして、例えば次の特許文献１に開示されたような株式交換システムがある。
【特許文献１】特表平１０−５００７８８号公報
【発明の開示】
【発明が解決しようとする課題】
【０００３】
しかしながら、上記従来の株式注文方法では、注文状況を確認する画面と注文を行う画面が分かれており、注文状況を確認しながら迅速に株式の注文を行うことができず、注文の遅延により売買時機を逸するという問題点があった。
本発明の目的は、注文状況表示画面上で注文状況を確認しながら株式の注文を迅速に行うことを可能とする株式注文システムを提供することにある。
【課題を解決するための手段】
【０００４】
上記目的を達成するために、本発明は、証券会社が管理するサーバと、株式の売買注文主が使用する顧客端末とで構成される株式注文システムであって、
前記サーバが、
証券取引所から銘柄別の株式売買注文状況情報を受信し、該注文状況情報中の売買注文識別情報を顧客別の顧客識別情報に変換し、前記顧客端末に送信する手段と、前記顧客端末から銘柄別の売買注文を受信し、前記証券取引所に送信する手段とを備え、
前記顧客端末が、前記顧客識別番号が付された株式売買注文状況情報を受信し、自端末の同一表示画面内の銘柄別のウインドウに、当該顧客端末を使用する顧客自身および他の顧客端末を使用する他の顧客の売買注文状況を売買価格別に表示する手段と、売買注文状況が表示された前記銘柄別のウインドウ内での入力操作に従い、売買銘柄、売買株数、売買価格の情報を含む売買注文の情報を前記サーバに送信する手段とを備えることを特徴とする。
また、前記顧客端末の売買注文状況を売買価格別に表示する手段は、前記銘柄別のウインドウに、最新の売買成立株価を現在株価として表示することを特徴とする。
また、前記顧客端末の売買注文状況を売買価格別に表示する手段は、現在株価と顧客の注文価格が銘柄別に予め設定された乖離価格を超える場合は、該乖離価格を超えた銘柄のウインドウを最前面に表示することを特徴とする。
【発明の効果】
【０００５】
本発明によれば、注文状況表示画面からマウスによる操作のみで株式の注文を行うことにより、注文状況を確認しながら株式の注文を迅速に行うことが可能となる。
【発明を実施するための最良の形態】
【０００６】
以下、本発明を実施する場合の一形態を図面を参照して具体的に説明する。
図１は、本発明の実施の一形態の株式注文システム全体の構成の概要を示すブロック図である。
図１に示すように、本実施形態の株式注文システムは、有価証券の売買取引を行う証券取引所１と、顧客からの注文を受け証券取引所１へ発注する証券会社３と、証券会社３が取り扱う多数の顧客が所有するパーソナルコンピュータ（以下ＰＣ）２１、２２、２３、・・・で構成される。ＰＣ２１、２２、２３、・・・は注文状況の表示と注文の入力を行う注文状況表示入力端末（例えば、パーソナルコンピュータや携帯電話機、ＰＤＡなど）である。
証券取引所１と証券会社３は専用回線で接続され、また、証券会社３とＰＣ２１、２２、２３、・・・は、それぞれインターネット４で接続される。
ここで、証券会社３は各種の処理を実行するサーバ３０を有し、ＰＣ２１、２２、２３、・・・は、それぞれＣＲＴやＬＣＤ等の表示部とともに、キーボード、マウス等の入力部を有する。
【０００７】
次に、サーバ３０の詳細構成について説明する。
図２は、サーバ３０の構成を示すブロック図である。この図において、サーバ３０は、注文状況受信部３１と注文状況送信部３２と注文発注部３３を有する。
注文状況受信部３１は、証券取引所１から全ての銘柄の注文状況を受信する注文状況受信手段３４と、顧客がＰＣ２へ入力することで証券会社３へ注文した売買注文が証券取引所１から受信した注文状況に存在するかを判定し、存在する場合は、該当する売買注文に対し注文した顧客の顧客番号を追記する注文識別番号照合手段３５で構成される。
注文状況送信部３２は、ＰＣ２から指定された銘柄の注文状況の表示を要求された時に、指定された銘柄の注文状況をＰＣ２へ送信する顧客別注文状況送信手段３６で構成される。なお、顧客別注文状況送信手段３６は、要求元の顧客の売買注文のみ予め設定された印をＰＣ２で表示させるため、証券取引所１から受信した注文状況の中の要求元の顧客の顧客番号と一致する売買注文のみ、予め設定された印を付与し、指定された銘柄の注文状況をＰＣ２へ送信する。
注文発注部３３は、ＰＣ２から注文された注文内容を売買注文データファイルとして作成する売買注文データファイル作成手段３７と、作成した売買注文データファイルを証券取引所１へ送信する注文送信手段３８と、送信された注文に対して一意に付与された注文識別番号を証券取引所１から受信する注文識別番号受信手段３９と、受信された注文識別番号を売買注文データファイルに追記する注文識別番号追記手段４０で構成される。
【０００８】
次に、ＰＣ２の詳細構成について説明する。
図３は、ＰＣ２の構成を示すブロック図である。この図において、ＰＣ２は、ＣＲＴやＬＣＤ等の表示部２４とともに、キーボード、マウス等の入力部２５を有する。また、証券会社３から指定された銘柄の注文状況を受信して表示部２４に注文状況を表示し、入力部２５から入力された注文を処理する注文状況表示入力手段２６と、この注文状況表示入力手段２６で処理された注文情報を証券会社３へ送信する注文送信手段２７から構成される。
【０００９】
次に、本実施形態の全体の処理フローの概要を図４を用いて説明する。
図４は図２および図３における証券会社３のサーバ３０およびＰＣ２における処理を説明するためのフローチャート図である。簡単のため、図４の左側がサーバ３０の処理、図４の右側がＰＣ２の処理を表している。
まず、サーバ３０の注文状況受信部３１が起動される。注文状況受信部３１の注文状況受信手段３４では、証券取引所１から全ての銘柄の注文状況を受信し、注文状況ファイル５１を作成する（ステップ１０１）。
次に、顧客がＰＣ２から証券会社へ注文した売買注文とその注文識別番号の全てが記録（後述のステップ１１１で記録）された売買注文データファイル５２と、ステップ１０１で作成した注文状況ファイル５１とを読み込み、売買注文データファイル５２に追記された注文識別番号が注文状況ファイル５１に存在するか照合する。照合の結果、売買注文データファイル５２に記録された売買注文が注文状況ファイル５１に存在する場合は、該当する売買注文に対し注文した顧客の顧客番号を追記する（ステップ１０２）。
次に、注文状況の表示要求のある顧客へ注文状況を送信する注文状況送信部３２が起動される。
注文状況送信部３２では、ＰＣ２から注文状況の表示要求が有るかどうかを判定し、注文状況の表示要求が無い場合は、ステップ１０１に戻る（ステップ１０３）。注文状況の表示要求がある場合は、要求された銘柄の注文状況のみ注文状況ファイル５１から抜き出し、さらに注文状況ファイル５１に記録された売買注文毎の顧客番号と表示要求のある顧客の顧客番号とが一致する売買注文のみ、予め設定された印を付与しＰＣ２へ送信する（ステップ１０４）。
【００１０】
ＰＣ２では、ステップ１０４により証券会社３から送信された注文状況を表示部２４に表示する（ステップ１０５）。
次に、入力部２５から注文が入力されたかどうかを判定し、注文が入力されていない場合は、ステップ１０５に戻る（ステップ１０６）。注文が入力された場合は、証券会社３へ注文内容を送信する（ステップ１０７）。
ＰＣ２からの注文を証券会社３のサーバ３０が受信した場合、注文発注部３３が起動される。注文発注部３３では、受信した注文内容を売買注文データファイル５２として作成する（ステップ１０８）。この場合、売り注文または買い注文を行った顧客の顧客番号を証券会社が所有している顧客データベース（図示せず）より取得し、売買注文データファイル５２に追記する。
次に、ステップ１０８で作成された売買注文データファイル５２を注文送信手段３８により証券取引所１へ送信する（ステップ１０９）。これに対して、証券取引所１からステップ１０８で送信した売買注文に対する注文識別番号を注文識別番号受信手段３９により受信する（ステップ１１０）。次に、ステップ１１０で受信した注文識別番号をステップ１０９で発注した売買注文の注文識別番号として売買注文データファイル５２に追記し、ステップ１０１に戻る（ステップ１１１）。
【００１１】
図５は、図４のステップ１０２における注文識別番号照合処理の詳細、図６は図４のステップ１０４における顧客別注文状況送信処理の詳細、図７は図４におけるステップ１０７の注文送信処理の詳細をそれぞれ新スフローチャートである。
図５の注文識別番号照合処理では、まず、注文状況受信手段３４で注文証券取引所１から全ての銘柄の注文状況を受信し作成された注文状況ファイル５１を読み込み（ステップ２０１）、顧客からの売買注文と注文識別番号が記録された売買注文データファイル５２を読み込み（ステップ２０２）、読み込んだ注文状況ファイル５１に記録された全ての注文識別番号に対して、売買注文データファイル５２に記録された注文識別番号と一致するものがあるか判定する（ステップ２０３）。一致しない場合は終了し、一致する売買注文がある場合は、売買注文データファイル５２の中の注文識別番号が一致した売買注文に記録された顧客番号を、注文状況ファイル５１の注文識別番号が一致した売買注文に追記し（ステップ２０４）、終了する。
【００１２】
図６の顧客別注文状況送信処理では、まず、図５のステップ２０４で作成された顧客番号付きの注文状況ファイル５１を読み込み（ステップ３０１）、注文状況の表示要求のあった銘柄の注文状況のみを銘柄別注文状況ファイル５３として作成する（ステップ３０２）。
次に、ステップ３０２で作成した銘柄別注文状況ファイル５３を読み込み（ステップ３０３）、銘柄別注文状況ファイル５３に記録された売買注文毎の顧客番号と注文表示要求のあった顧客番号とを照合し、一致する売買注文が無ければステップ３０６に進む（ステップ３０４）。一致する売買注文が有る場合は、一致する売買注文全てに予め設定された印を銘柄別注文状況ファイル５３に追記する（ステップ３０５）。ステップ３０５の時点での銘柄別注文状況ファイル５３には注文状況表示要求のあった銘柄の売買注文毎に顧客番号が記録されており、顧客情報（顧客番号）のＰＣ２への流出を防ぐ目的から、銘柄別注文状況ファイル５３の顧客番号全てを削除する（ステップ３０６）。
ステップ３０６の時点で銘柄別注文状況ファイル５３に顧客番号は記録されていないが、注文状況の表示要求のあった顧客の売買注文は、ステップ３０５にて予め設定された印と注文識別番号が記録されているため、注文状況の表示要求のあった顧客の売買注文のみ銘柄別注文状況ファイル５３から判別可能となる。
最後に、ＰＣ２へ銘柄別注文状況ファイル５３を送信する（ステップ３０７）。
【００１３】
ＰＣ２における図７の注文送信処理では、図８に示すような注文状況表示画面８００の表示画面上において、ＰＣ２に接続されたマウスの左ボタンが押下されたか判定し（ステップ４０１）、押下されていない場合は終了し、押下された場合は、ＰＣ２の表示部２４に表示されている予め設定された印が付与された注文上でマウスの左ボタンが押下されたか判定し（ステップ４０２）、予め設定された印が付与された注文上で押下されていない場合は、図８の売買価格軸５０１の左側の売り注文表示箇所５０３の上にカーソル５０８が位置しているかを判定し、売り注文表示箇所５０３の上にカーソル５０８が位置している場合は「売り」として判別する。売買価格軸５０１の右側の買い注文表示箇所５０４の上にカーソル５０８が位置している場合は「買い」として判定し（ステップ４０３）、注文数量を「０」として初期化する（ステップ４０４）。
【００１４】
ここで、図８の注文状況表示画面８００において、画面右側には買い注文表示箇所５０４、画面左側には売り注文表示箇所５０３が設けられており、それぞれの表示箇所には顧客本人が売り注文または買い注文した株数が所定の強調表示形式によって表示されるようになっている。すなわち、図８の例では、○○不動産の株式について、当該顧客が売り注文した株数「３０００」が▽表示の印５０７によって表示されている。同様に、当該顧客が買い注文した株数「５０００」が▽表示の印５０７によって表示されている。
この▽印５０７は、当該顧客が指定した売買価格の位置に表示されている。図８の例では、当該顧客は○○不動産の株式について、３０００株を１５３円で売り、５０００株を１４９円で買いの注文をしたことを示している。
図８において、▽表示の印５０７が付いていない売買注文の株数（売り価格１５３円の５０００，１０００など）は他の顧客が注文した株数と売買価格を示すものである。
この画面８００により、銘柄別に、自分と他人が注文した株数と売買価格が一目瞭然となる。
【００１５】
次に、予め設定された注文単位株数を読込み、現在の注文数量に注文単位株数を加算する（ステップ４０５）。例えば、図８の例において、売り注文表示箇所５０３に表示されている売買価格１５３円の注文単位株数５０００，１０００、３０００のうち「５０００」を左ボタンで１回クリックすると、売り注文株数が「５０００」に更新される。次に、マウスの左ボタンが続けて押下されたかどうか判定し（ステップ４０６）、押下されている場合はステップ４０５に戻り、さらに注文単位株数を加算する。ステップ４０５〜ステップ４０６を繰り返すことで、マウスの左ボタンが押下された回数分、注文単位株数が加算される。
例えば、図８の例において、注文単位株数が予め１０００株に設定されていたものとすると、売り注文表示箇所５０３に表示されている売買価格１５３円の注文単位株数「３０００」を左ボタンで１回クリックすると、既に注文している注文単位株数「３０００」に注文単位株数「１０００」が追加されて売り注文株数が「４０００」に更新される。
ステップ４０６において、マウスの左ボタンが押下されなかった場合、マウスの右ボタンが押下されたか判定する（ステップ３０７）。押下されなかった場合は、ステップ４０６に戻り、入力待ち状態となる。ステップ４０７において、マウスの右ボタンが押下された場合、注文入力が完了されたものと判断し、売買価格を判定する（ステップ４０８）。なお、ステップ４０８では、注文入力の完了の意思表示であるマウスの右ボタンを押下したとき、カーソルの縦の位置と等しい売買価格軸の売買価格を取得し、買い注文価格または売り注文価格とする。
次に、売買する株式の確認メッセージを表示する（ステップ４０９）。ステップ４０９で確認後、ステップ４０３で買い注文または売り注文として判定した情報から買い注文または売り注文を証券会社３へ売買注文データとして送信する（ステップ４１０）。
【００１６】
一方、ステップ４０２において、注文状況表示画面８００上の予め設定された印が付与された注文上でマウスの左ボタンが押下された場合、当該注文を取消しするものとして証券会社３から受信した銘柄別注文状況ファイル５３読み込み、該当する注文情報を取得する（ステップ４１１）。そして、取消しを行う注文情報をステップ４１０にて取消し注文として証券会社３のサーバ３０に送信する。
図８に示す注文状況表示画面８００は、サーバ３０の顧客別注文状況送信手段３６によりＰＣ２へ送信された注文状況が、注文状況表示を要求した顧客の過去に注文した注文（一例として、○○不動産の売り注文（売買価格１５３円）を３０００株および買い注文（売買価格１４９円）を５０００株）の情報が予め設定された印５０７（斜線表示）が付与されて表示されている状態を示す。
【００１７】
図８において、マウスの操作に従い画面上で移動するカーソル５０８を表示する。同時にカーソル５０８の先端を支点に、水平方向の位置情報線５１１と垂直方向の位置情報線５１２を表示する。５１１および５１２により、画面上にカーソルがどの位置を指し示しているかを強調する。例えば、垂直位置情報線５１２が図８の状態で表示されている場合、図７の売り買い判定処理（ステップ４０３）では画面右側の買い領域にカーソルが存在するとして、買い注文であると判断する。また、水平位置情報線５１１が図８の状態で表示されている場合、マウスの左ボタンをクリックすることで図７のステップ４０４〜４０７により売買数量を決定した後、マウスの右ボタンをクリックすることで売買価格判定処理（ステップ４０８）にて、水平位置情報線５１１と売買価格軸５０１が交差する売買価格５０２（図８の場合は１５２円）が、注文する売買価格として判定する。
【００１８】
図８の売買数量入力領域５１３において、売買単位毎の数量（株数）を入力することにより、図７のステップ４０４〜４０７の売買数量の入力をさらに素早く行うことが可能となる。例えば、図８で１２１０００株の買い注文を行いたい場合は、売買数量入力領域５１３の「１００，０００株」のボタン５１７Ａを１回クリックし、「１０，０００株」のボタン５１７Ｂを２回クリックし、「１，０００株」のボタン５１７Ｃを１回クリックすることで入力を完了することができる。
【００１９】
図９は、図７のステップ４０６〜４０７において売買数量入力領域５１３を利用した場合の処理フローであり、図７に対し破線９０で示す部分を追加したものである。
まず、マウスの左ボタンが押下されたかどうかを判別し（ステップ４０６）、押下された場合は、押下されたカーソルの位置が売買数量入力領域５１３上であるかを判定する（ステップ４２０）。売買数量入力領域５１３上で無い場合は、図７に示した通常の処理フローであるため、ステップ４０５に戻る。
売買数量入力領域５１３上である場合は、売買数量入力領域５１３を利用した売買数量の入力を行うため、ステップ４０５で更新した売買数量を一旦初期化する（ステップ４２１）。次に、押下された売買数量入力領域５１３上の売買数量単位ボタン５１７Ａ〜５１７Ｃ（図８の「１００，０００株」、「１０，０００株」、「１，０００株」と表記されたボタン）により、注文数量を更新する（例えば、図８の「１０，０００株」が押下された場合は、注文数量に１０，０００を加算する（ステップ４２２）。
次に、マウスの左ボタンが押下されたかどうか判定し（ステップ４２３）、押下された場合は、ステップ４２２に戻る。押下されていない場合は、マウスの右ボタンが押下されたかどうか判定し（ステップ４２４）、押下されていない場合は、ステップ４２３に戻る。押下された場合は、ステップ４０８に進む。
【００２０】
したがって、ステップ４２２〜４２４により、右クリックされるまで、売買数量入力領域５１３上の売買数量単位ボタン５１７Ａ〜５１７Ｃを左クリックで押下するだけで、注文数量を決定することができる。
また、図８において、表示している複数の銘柄の最新の注文状況を再表示するため、予め設定された間隔で証券会社３へ注文状況送信要求を送り、注文状況送信要求に基づき証券会社３から送信されて来た銘柄別注文状況ファイル５３を受信し、画面８００に表示する。画面８００に表示する際、複数の注文状況表示銘柄（図８では○○不動産、△△製薬、××鉄鋼）の直近の売買成立価格が表示された売買価格５０２のみ、現在株価５１６として印（図８の例では網掛け表示）を付ける。この時、顧客の注文価格（○○不動産では予め設定された印（▽印）のある５０７の注文であり、売買価格１４９円と１５３円）と現在株価５１６が銘柄別に予め設定された乖離価格を超える場合は、その乖離価格を超えた銘柄のウインドウ５１０を最前面に表示する（アクティブにする）。
これにより、現在の市場で取引されている価格帯と顧客が注文している価格帯が大きく乖離してしまい、注文機会を逸してしまうことを防ぐことができる。
【００２１】
また、図８の現在表示している銘柄（○○不動産）では、現在株価５１６を中心とした注文状況（元の注文状況画面）を表示するため、表示している売買価格が１４８円〜１５３円までであるが、１５３円より高い価格の注文状況を表示したい場合は、表示売買価格上昇スクロールボタン５１４を左クリックで押下することにより１５３円より高い価格の注文状況を表示する。同様に、１４８円より低い価格の注文状況を表示したい場合は、表示売買価格下降スクロールボタン５１５を左クリックで押下することにより１４８円より低い価格の注文状況を表示する。これらの画面表示処理は、図４の注文状況表示入力手段２６で行われる。
【００２２】
図１０は、注文状況表示入力手段２６の詳細処理フローである。
まず、証券会社３に注文状況をＰＣ２へ送信するよう要求を送る（ステップ５０１）。この際、現在画面に表示している（注文状況を表示したい）複数の銘柄の銘柄コードと顧客の顧客番号を送る。次に、証券会社３から送信された銘柄別注文状況ファイル５３を受信する（ステップ５０２）。
次に、銘柄別注文状況ファイル５３に記録された予め設定された印（図８の斜線の印）のある注文（顧客の注文）の価格と銘柄別注文状況ファイル５３に記録された現在株価（図８の５１６）とを比較し、銘柄別に予め設定された乖離価格を超えるかどうかを判別する（ステップ５０３）。超えない場合は、現在最前面に表示されている銘柄をそのまま最前面に表示することとし、また、表示売買価格帯も変更せずにステップ５０５へ進む。しかし、予め設定された乖離価格を超える場合は、超えた銘柄を最前面に表示することとし、また、表示売買価格帯を現在株価５１６を中心とする（ステップ５０４）。指定された最前面表示銘柄と売買価格帯に基づき、注文状況を画面に表示する（ステップ５０５）。この時、売買価格帯に現在株価が存在する場合は、現在株価５１６として印（図８の網掛け表示の印）を付ける。
【００２３】
次に、予め設定された注文状況更新間隔が過ぎているかどうかを判定し、過ぎている場合はステップ５０１へ戻る（ステップ５０６）。過ぎていない場合は、表示売買価格上昇スクロールボタン５１４または表示売買価格下降スクロールボタン５１５を左クリックで押下されているかを判定し、押下されていない場合はステップ５０５へ戻る（ステップ５０７）。押下されている場合は、表示売買価格上昇スクロールボタン５１４が押下された場合は、売買価格帯を最小単位価格分増加させる。例えば、図８の○○不動産の場合は、最小単位価格が１円毎であるため、現在１４８円〜１５３円で表示している売買価格帯を１４９円〜１５４円の売買価格帯に変更する。同様に、表示売買価格下降スクロールボタン５１５が押下された場合は、売買価格帯を最小単位価格分減少させる。例えば、図８の○○不動産の場合は、最小単位価格が１円毎であるため、現在１４８円〜１５３円で表示している売買価格帯を１４７円〜１５２円の売買価格帯に変更する。変更後、ステップ５０５へ戻る。
【００２４】
以上のように、本実施形態においては、証券取引所から株式の注文状況を株式の売買注文主の端末で受信し、株式の売買注文主の端末の同一表示画面内に、銘柄別のウインドウに、自分自身および他の注文主の注文状況を売買価格別に表示し、その表示画面内でのマウス操作によって売買株数および売買注文を行うように構成したため、注文状況表示画面上で注文状況を確認しながら株式の売買注文を迅速に行うことができる。
また、注文価格と現在株価が銘柄別に予め設定された乖離価格を超える場合は、その乖離価格を超えた銘柄のウインドウを最前面に表示することにより、現在の市場で取引されている価格帯と顧客が注文している価格帯が大きく乖離してしまい、売買の注文機会を逸してしまうことを防ぐことができる。
【図面の簡単な説明】
【００２５】
【図１】本発明の実施の一形態の株式注文システム全体の構成の概要を示すブロック図である。
【図２】証券会社のサーバの詳細構成を示す機能ブロック図である。
【図３】顧客端末の詳細構成を示す機能構成図である。
【図４】サーバと顧客端末の処理の関連を示すフローチャートである。
【図５】サーバにおける注文識別番号照合処理の詳細を示すフロ−チャ−トである。
【図６】サーバにおける顧客別注文状況送信処理の詳細を示すフローチャートである。
【図７】顧客端末における注文送信処理の詳細を示すフローチャートである。
【図８】顧客端末における注文状況表示画面の一例を示す図である。
【図９】図８の画面において売買数量入力領域５１３を利用した場合の注文入力についての処理を示すフローチャートである。
【図１０】図４で示した注文状況表示入力処理を示すフローチャートである。
【符号の説明】
【００２６】
１…証券取引所
２…ＰＣ
３…証券会社
４…インターネット
２１…ＰＣ
２２…ＰＣ
２３…ＰＣ
５１…注文状況ファイル
５２…売買注文データファイル
５３…銘柄別注文状況ファイル
５０１…売買価格軸
５０２…売買価格
５０３…売り注文表示箇所
５０４…買い注文表示箇所
５０５…売買注文と売買株数
５０７…予め設定された印
５０８…カーソル
５０９…当該ウインドウで表示している銘柄情報
５１０…銘柄毎の注文状況ウインドウ
５１１…水平位置情報線
５１２…垂直位置情報線
５１３…売買数量入力領域
５１４…表示売買価格上昇スクロールボタン
５１５…表示売買価格下降スクロールボタン
５１６…現在株価
５１７…売買数量単位ボタン
【図１】
2005100265.tif 000003
【図２】
2005100265.tif 000004
【図３】
2005100265.tif 000005
【図４】
2005100265.tif 000006
【図５】
2005100265.tif 000007
【図６】
2005100265.tif 000008
【図７】
2005100265.tif 000009
【図８】
2005100265.tif 000010
【図９】
2005100265.tif 000011
【図１０】
2005100265.tif 000012